(57)【要約】  【課題】  撮影により得られた画像データの検索を容易にし、画像データを効率的に管理することができるようにする。  【解決手段】  撮像装置１は至近距離で通信可能な近距離無線用アンテナを備える。ゲート２は駅の改札ゲートや遊園地の入場ゲートであって、近距離無線用アンテナが設けられた通信部３を備える。通信部３はゲート２が設置された場所に関連する場所名情報を記憶している。撮像装置１を携帯するユーザが、ゲート２を通過するときにその通信部３に対して撮像装置１をタッチすると、ゲート２が有する場所名情報が近距離無線用アンテナを介してゲート２から撮像装置１に通知される。撮像装置１は、この通知された場所名情報をフォルダ名として新規フォルダを作成し、この新規フォルダを撮影画像の格納先として設定する。【選択図】  図１
2006115017.tif 000002
【特許請求の範囲】
【請求項１】
被写体を撮影し、画像データを出力する撮影手段と、
通信部と通信して、当該通信部が設けられた場所に関連する場所名情報を取得する通信手段と、
上記通信手段により取得された上記場所名情報を用いて、上記撮影手段から出力される画像データを第１の記憶手段に格納するためのフォルダのフォルダ名を作成する管理手段と
を備えることを特徴とする撮像装置。
【請求項２】
上記通信手段は、場所名情報を提供する上記通信部に対して接触または接触する程度に近づけた場合に、上記通信部から場所名情報を取得可能であることを特徴とする請求項１記載の撮像装置。
【請求項３】
上記通信手段は、場所名情報を提供する上記通信部の付近を通過した場合に、上記通信部から場所名情報を取得可能であることを特徴とする請求項１記載の撮像装置。
【請求項４】
上記管理手段は、
上記作成されたフォルダ名に基づき、上記第１の記憶手段にフォルダを作成し、当該フォルダを上記撮影手段から出力される画像データを格納する格納フォルダに設定することを特徴とする請求項１記載の撮像装置。
【請求項５】
上記管理手段は、上記第１の記憶手段内に作成された上記フォルダ内に、当該フォルダが作成されてから所定時間経過後に画像データが格納されていない場合には、
当該フォルダを上記第１の記憶手段から削除することを特徴とする請求項１記載の撮像装置。
【請求項６】
上記作成されたフォルダ名を記憶する第２の記憶手段と、
上記第２の記憶手段に記憶されたフォルダ名から所望のフォルダ名を選択する選択手段と
をさらに備え、
上記管理手段は、
上記選択手段により選択されたフォルダ名に基づき、上記第１の記憶手段にフォルダを作成し、当該フォルダを上記撮影手段から出力される画像データを格納する格納フォルダに設定することを特徴とする請求項１記載の撮像装置。
【請求項７】
情報を表示する表示手段と、
抽出条件に基づき上記第２の記憶手段から場所名情報を抽出して上記表示手段に表示する表示制御手段と
をさらに備えることを特徴とすることを特徴とする請求項６記載の撮像装置。
【請求項８】
上記第１の記憶手段から削除されたフォルダのフォルダ名を格納する第２の記憶手段と、
上記第２の記憶手段に記憶されたフォルダ名を表示する表示手段と、
上記表示手段に表示されたフォルダ名から所望のフォルダ名を選択する選択手段と
をさらに備え、
上記管理手段は、
上記選択手段により選択されたフォルダ名のフォルダを上記第１の記録手段に作成し、当該フォルダを上記撮影手段から出力される画像データを格納する格納フォルダに設定することを特徴とする請求項１記載の撮像装置。
【請求項９】
上記通信手段は、
第１の場所名情報を提供する第１の通信部に対して接触または接触する程度に近づけた場合に、上記第１の通信部から第１の場所名情報を取得可能であり、
第２の場所名情報を提供する第２の通信部の付近を通過した場合に、上記第２の通信部から第２の場所名情報を通信により取得可能であり、
上記管理手段は、
上記通信手段が上記第１の通信部から第１の場所名情報を取得した場合には、上記取得された第１の場所名情報に基づき親フォルダを上記第１の記憶手段に作成し、
上記通信手段が上記第２の通信部から第２の場所名情報を取得した場合には、上記取得された第２の場所名情報に基づき子フォルダを、上記第１の記憶手段内に作成された親フォルダ内に作成することを特徴とする請求項１記載の撮像装置。
【請求項１０】
上記第１の場所名情報と上記第２の場所名情報とが予め関連付けられたテーブルをさらに有し、
上記管理手段は、
上記通信手段が上記第２の通信部から第２の場所名情報を取得した場合には、上記取得された第２の場所名情報に関連する第１の場所名情報を上記テーブルから検索し、当該第１の場所名情報に基づき上記第１の記憶手段内に作成されている親フォルダ内に、上記取得された第２の場所名情報に基づき子フォルダを作成することを特徴とする請求項９記載の撮像装置。
【請求項１１】
上記管理手段は、
上記通信手段が上記第２の通信部から第２の場所名情報を取得した場合には、上記取得された第２の場所名情報に関連する第１の場所名情報に基づき作成された親フォルダが上記第１の記憶手段内にあるか否かを上記テーブルを参照して判断し、
上記取得された第２の場所名情報に関連する第１の場所名情報に基づき作成された親フォルダが上記第１の記憶手段内にあると判断した場合には、当該親フォルダ内に上記取得された第２の場所名情報に基づき子フォルダを作成し、
上記取得された第２の場所名情報に関連する第１の場所名情報に基づき作成された親フォルダが上記第１の記憶手段内にないと判断した場合には、第１の記憶手段に予め作成されている仮フォルダ内に、上記取得された第２の場所名情報に基づき子フォルダを作成することを特徴とする請求項１０記載の撮像装置。
【請求項１２】
上記管理手段は、
上記通信手段が上記第１の通信部から第１の場所名情報を取得した場合には、上記第１の記憶手段に作成されている仮フォルダ内に、上記取得された第１の場所名情報と関連する第２の場所名情報に基づき作成された子フォルダがあるか否かを上記テーブルを参照して判断し、
上記第１の記憶手段に作成されている仮フォルダ内に、上記取得された第１の場所名情報と関連する第２の場所名情報に基づき作成された子フォルダがあると判断した場合には、当該子フォルダを上記取得された第１の場所名情報に基づき作成される親フォルダ内に移すことを特徴とする請求項１０記載の撮像装置。
【請求項１３】
通信部と通信して当該通信部が設けられた場所に関連する場所名情報を取得し、取得された上記場所名情報を用いて、上記撮影手段から出力される画像データを第１の記憶手段に格納するためのフォルダのフォルダ名を作成することを特徴とするファイル管理方法。
【請求項１４】
通信部と通信して当該通信部が設けられた場所に関連する場所名情報を取得し、取得された上記場所名情報を用いて、上記撮影手段から出力される画像データを第１の記憶手段に格納するためのフォルダのフォルダ名を作成することを特徴とするファイル管理方法をコンピュータに実行させることを特徴とするファイル管理プログラム。
【発明の詳細な説明】
【技術分野】
【０００１】
この発明は、撮像して得られた画像データを効率よく管理することができる撮像装置、ファイル管理方法およびファイル管理プログラムに関する。
【背景技術】
【０００２】
被写体からの光をＣＣＤ(Charge Coupled Device)などの撮像素子を用いて撮像し、撮像信号に基づく画像データを脱着可能な不揮発性の半導体メモリ（以下、フラッシュメモリと呼ぶ）などに記憶させるようにしたディジタルスチルカメラが出現して久しい。撮像されフラッシュメモリに記憶された撮像データは、例えばパーソナルコンピュータなどのコンピュータ装置に転送し、ハードディスクなどの記録媒体に記録したり、カラープリンタ装置などで印刷したりすることが可能である。
【０００３】
このようなディジタルスチルカメラは、技術の進歩に伴いより一層の小型化や、フラッシュメモリの大容量化などが進み、利便性が増している。小型化が進むにつれ、ユーザは、ディジタルスチルカメラを何時、何処へでも気軽に持ち歩けるようになると共に、フラッシュメモリの大容量化に伴い、フィルム枚数や現像費用を気にすることなく、大量に撮影することが可能となった。
【０００４】
ディジタルスチルカメラは、多くの場合、文字情報を入力する手段を持たない。この場合、撮影された画像データは、ディジタルスチルカメラ側で自動的に設定された画一的なファイル名で、フラッシュメモリに記憶される。機種によっては、フォルダを作成し、撮影された画像データをフォルダ毎に管理することができるものもある。この場合でも、フォルダ名は、画一的な名称が自動的に設定される。
【０００５】
特に大量の画像データをフラッシュメモリに記憶する場合、ファイル名に画一的な名称を用いたのでは、後に、目的の画像データを探す際に非常に不便である。そのため、従来から、撮影で得られた画像データを効率的に管理できるような様々な方法が提案されている。
【０００６】
例えば、近年では、ＧＰＳ(Global Positioning System)技術も一般的に用いられるようになってきており、ＧＰＳで得られた位置情報に基づきファイル名を作成する方法も、幾つかが提案されている。ＧＰＳを用いる場合、撮影時にＧＰＳにより得られた緯度経度情報に対して住所やランドマークといった地図情報を対応付け、この地図情報に基づき撮影された画像データのファイル名や、画像データを格納するフォルダのフォルダ名を作成することが考えられる。
【０００７】
これに対し、ＧＰＳを用いない方法も提案されている。例えば、特許文献１には、ディジタルスチルカメラに無線通信機能を持たせると共に、特定の場所に、当該場所名を送信するファイル名送信部を設け、ディジタルスチルカメラで撮影時に、ファイル名送信部から送信された情報を用いて撮影された画像データのファイル名を作成するようにした技術が公開されている。
【特許文献１】特開２００２−３７４４８１号公報
【発明の開示】
【発明が解決しようとする課題】
【０００８】
ところが、上述したＧＰＳにより得られる緯度経度情報に基づきファイル名を作成する方法では、ファイル名を作成するまで手間がかかると共に、作成されたファイル名が必ずしもユーザにとって分かりやすいものであるとは限らないという問題点があった。
【０００９】
例えば、ＧＰＳからは緯度経度情報しか与えられないため、ユーザは、予め地図情報を取り込み済みのパーソナルコンピュータを用意し、このパーソナルコンピュータに撮影された画像データおよび対応する緯度経度情報を送信する、あるいは、ディジタルスチルカメラに対して通信手段を設けて地図情報をダウンロードするなどにより、地図情報を得て、緯度経度情報とこの地図情報とをリンクさせる必要があり、大変手間がかかるという問題点があった。
【００１０】
また、緯度経度情報に基づき得られた地図情報も、地図の提供者側の意図により、参照する地図によって区分や表現が異なってしまうことがあるという問題点があった。
【００１１】
例えば、ある場所を地図情報に基づき表現する場合、住所表示を用いることが考えられる。しかしながら、人は、住所表示からその場所のイメージを思い浮かべることは難しいため、その場所の近くにあるランドマークを用いることも考えられる。そのため、同一の場所でも、参照する地図によって、「文京区後楽１丁目」と住所で表現されたり、「東京ドーム」とランドマークで表現されたりと、表現が異なる可能性がある。また、ある場所をどの住所で代表させるかの区分が、地図によって異なることも考えられる。例えば、上述の東京ドームをバックに東京ドームの周辺で撮影した写真が、住所で分類すると「千代田区飯田橋３丁目」とされ、東京ドームの住所である「文京区後楽１丁目」とは異なるフォルダに画像データが格納されてしまう可能性があり、不便である。
【００１２】
さらに、地図を参照する場合、参照する地図が何時作製された地図であるかによっても、地名などの情報が異なってくる可能性があり、問題であった。例えば、住所に基づきフォルダ名を作成する場合には、区画整理などにより住所が変更されることが考えられる。また、ランドマークに基づきフォルダ名を作成する場合には、１年前になかったランドマークが新しく出現したり、逆に、１年前にはあったランドマークが消滅したりする場合が考えられる。したがって、ユーザは地図情報を常に最新に保たなくてはならず、負担になってしまうという問題点があった。この問題は、時間情報と地図情報とを併せて処理することで、解決が可能である。しかしながら、この場合には、時系列に沿って地図情報を蓄積することになり、膨大な量の地図データベースを用意する必要があるため現実的ではない。
【００１３】
一方、上述の特許文献１に示される、ＧＰＳを用いない方法では、特定の場所において、場所を表すファイル名をディジタルスチルカメラ側で自動的に取得できると共に、特定の場所から直接的にファイル名を送信するようにしているため、常にその場所を的確に表すファイル名を作成することができるメリットがある。しかしながら、この場合、ユーザは、ファイル名を送信するための送信アンテナなどが何処にあるのかを、撮影場所を変える度に探す必要があるという問題点があった。
【００１４】
また、特許文献１の方法では、ある場所で撮影された画像データを探す際に、ファイル名で検索する必要があり、煩わしいという問題点があった。
【００１５】
したがって、この発明の目的は、撮影により得られた画像データの検索を容易にし、画像データを効率的に管理可能な撮像装置、ファイル管理方法およびファイル管理プログラムを提供することにある。
【課題を解決するための手段】
【００１６】
上記課題を解決するために、第１の発明は、被写体を撮影し、画像データを出力する撮影手段と、
通信部と通信して、当該通信部が設けられた場所に関連する場所名情報を取得する通信手段と、
通信手段により取得された場所名情報を用いて、撮影手段から出力される画像データを第１の記憶手段に格納するためのフォルダのフォルダ名を作成する管理手段と
を備えることを特徴とする撮像装置である。
【００１７】
第２の発明は、通信部と通信して、当該通信部が設けられた場所に関連する場所名情報を取得し、取得された場所名情報を用いて、撮影手段から出力される画像データを第１の記憶手段に格納するためのフォルダのフォルダ名を作成することを特徴とするファイル管理方法である。
【００１８】
第３の発明は、通信部と通信して、当該通信部が設けられた場所に関連する場所名情報を取得し、取得された場所名情報を用いて、撮影手段から出力される画像データを第１の記憶手段に格納するためのフォルダのフォルダ名を作成することを特徴とするファイル管理方法をコンピュータに実行させることを特徴とするファイル管理プログラムである。
【００１９】
この発明では、通信部から当該通信部が設けられた場所に関連する場所名情報を取得し、取得された場所名情報を用いて、撮影手段から出力される画像データを第１の記憶手段に格納するためのフォルダのフォルダ名を作成するので、直感的に理解しやすいフォルダ名を作成することができる。
【発明の効果】
【００２０】
以上説明したように、この発明によれば、撮影により得られた画像データの検索を容易にし、画像データを効率的に管理することができる。
【発明を実施するための最良の形態】
【００２１】
本発明の実施の形態について、以下の順に説明する。
（１）第１の実施形態
（１−１）第１の実施形態によるファイル管理システムの概要
（１−２）第１の実施形態による撮像装置の構成
（１−３）第１の実施形態による通信部の構成
（１−４）第１の実施形態による撮像装置の動作
（１−５）第１の実施形態の変形例
【００２２】
（２）第２の実施形態
（２−１）第２の実施形態によるファイル管理システムの概要
（２−２）第２の実施形態による撮像装置の構成
（２−３）第２の実施形態による通信部の構成
（２−４）第２の実施形態による撮像装置の背面部
（２−５）第２の実施形態による撮像装置のフォルダ名設定画面
（２−６）第２の実施形態による撮像装置の動作
（２−７）第２の実施形態の変形例
【００２３】
（３）第３の実施形態
（３−１）第３の実施形態によるファイル管理システムの概要
（３−２）第３の実施形態による撮像装置の構成
（３−３）第３の実施形態による第１の通信部の構成
（３−４）第３の実施形態による第２の通信部の構成
（３−５）第３の実施形態による撮像装置のフォルダ名表示画面
（３−６）第３の実施形態による撮像装置のフォルダ作成テーブル
（３−７）第３の実施形態による撮像装置の削除フォルダ名格納テーブル
（３−８）第３の実施形態による撮像装置のフォルダ作成画面
（３−９）第３の実施形態による撮像装置の動作
（３−１０）駅密集地域におけるフォルダ作成
（３−１１）第３の実施形態による撮像装置のフォルダ作成・削除の手順
（３−１２）第３の実施形態の変形例
【００２４】
（１）第１の実施形態
（１−１）第１の実施形態によるシステムの概要
図１は、この発明の第１の実施形態によるシステムの概要を説明するための概略図である。撮像装置１は、例えば、撮影された画像をスロット４に着脱可能に装填されたメモリに格納可能に構成されたＤＳＣ(Digital still Camera)などであって、至近距離で通信可能な近距離無線用アンテナを備える。ゲート２は、例えば駅の改札ゲートや遊園地の入場ゲートなどであって、近距離無線用アンテナが設けられた通信部３を有する。この通信部３は、ゲート２が設置された場所に関連する場所名情報を記憶している。
【００２５】
撮像装置１を携帯するユーザが、ゲート２を通過するときにその通信部３に対して通信可能な距離まで撮像装置１を接近させると、ゲート２が有する場所名情報が近距離無線用アンテナを介してゲート２から撮像装置１に通知される。撮像装置１は、この通知された場所名情報をフォルダ名として新規フォルダを作成し、この新規フォルダを撮影画像の格納先として設定する。
【００２６】
ここで、通信部３に対して撮像装置１を通信可能な距離まで接近させるとは、場所名情報の取得を目的としてユーザが撮像装置１とゲート２の通信部３とを意識的に近づけることを意味する。以下では、ゲート２の通信部３に対して撮像装置１をタッチすることにより、通信部３に対して通信可能な距離まで撮像装置１を接近させる場合を一例として説明する。なお、タッチとは、撮像装置１の近距離無線用アンテナとゲート２の近距離無線用アンテナとを接触または接触する程度に近づけることを意味する。実際には、撮像装置１の筐体と通信部３とを接触または接触する程度に近づけることを意味する。
【００２７】
場所名情報（すなわちフォルダ名）は、ゲート２が設けられた場所またはその周辺を表す名称であり、ゲート２が設けられた場所またはその周辺をユーザが直感的に理解しやすい名称を使用することが好ましく、例えば、建造物名（例えば、東京ドーム、東京タワー、武道館など）、駅名（例えば、東京駅、新宿駅など）、施設名（代々木公園、日比谷公園など）などのランドマークが好ましく用いられる。
【００２８】
そして、ゲート２を通過した後に撮像装置１で撮影をすると、撮像装置１において上述の新規フォルダに撮影画像が順次格納される。例えば、東京ドームの入場口に設置されたゲート２を通過するときにその通信部３に対して撮像装置１をタッチした後、東京ドーム内で撮影をすると、フォルダ名“東京ドーム”を有するフォルダ内に撮影画像が格納される。
【００２９】
次のゲート２を通過するときにその通信部３に対して撮像装置１をタッチするか、あるいは、撮影画像の保存先として設定されているフォルダをリセットしない限りは、同一フォルダ内に撮影画像が順次格納され続ける。したがって、撮影後に大量の画像から所望の画像を容易に探すことができる。例えば、東京ドーム入場時にそのゲート２の通信部３に対して撮像装置１をタッチして東京ドーム内で撮影をした後、東京ドームから出て東京ドームを背景に撮影をしたときでも、東京ドーム内で撮影した画像と東京ドームを背景に撮影した画像とは、東京ドームをフォルダ名とする同一フォルダ内に格納されるので、撮影後に大量の画像から、東京ドームを背景にして撮影した画像を容易に探すことができる。
【００３０】
（１−２）第１の実施形態による撮像装置の構成
図２は、この発明の第１の実施形態による撮像装置１の一構成例を示すブロック図である。画像処理ブロック１２、画像表示装置１４、制御ブロック１６およびリムーバブルメモリコントローラ１９がバス２１に対して接続される。画像処理ブロック１２に対してカメラブロック１１およびメモリ１３が接続される。制御ブロック１６に対して操作ブロック１５、メモリ１７、近距離無線用アンテナ１８、リムーバブルメモリコントローラ１９および電源供給部２０が接続される。この装置は、入力装置、表示装置、ＲＡＭおよびＲＯＭを備えるので、コンピュータ装置の一種とみなすことができる。
【００３１】
カメラブロック１１は、図示を省略したレンズ系および撮像素子などを備え、レンズ系を介して撮像素子に入力された光が電気信号に変換されて画像処理ブロック１２に出力される。画像処理ブロック１２は、カメラブロック１１から供給された電気信号をディジタル信号に変換し、このディジタル信号に対して例えば色調補正や解像度変換などの処理を行った後、画像データを例えばＪＰＥＧ(Joint Photographic Experts Group)方式を用いて圧縮してメモリ１３に記憶する。ここで、画像データは、例えば静止画像データまたは動画像データである。メモリ１３に記憶された圧縮画像データは、制御ブロック１６の制御に基づき、メモリ１３から読み出され、リムーバブルメモリコントローラ１９を介してリムーバブルメモリ２２に記憶される。また、画像処理ブロック１２は、画像表示装置１４に適するように画サイズ変換や各種処理を画像データに施す。
【００３２】
メモリ１３は、例えばＳＤＲＡＭ(Synchronous Dynamic Random Access Memory)などであって、画像処理ブロック１２によって圧縮された圧縮画像データを記憶する。画像表示装置１４は、例えばＬＣＤ(Liquid Crystal Display)からなり、画像処理ブロック１２から供給される画像データに基づき画像を表示する。この画像表示装置１４は、撮像中には撮像画像を確認するためのＥＶＦ(Electric View Finder)として用いることができる。
【００３３】
メモリ１７は、例えばフラッシュメモリなどであって、メニュー設定などの設定情報を記憶する。操作ブロック１５は、撮影および各種機能の設定などを行うためのボタンおよびスイッチなどからなる。制御ブロック１６は、操作ブロック１５の操作に応じて、撮像装置１に備えられた各部を制御する。例えば、制御ブロック１６は、画像表示装置１４にメニューを表示させる表示制御信号を生成したり、メニュー内でのカーソルの移動を制御したりする。制御ブロック１６は、例えばＣＰＵ(Central Processing Unit)、ＲＡＭ(Random Access Memory)およびＲＯＭ(Read Only Memory)を有し、ＣＰＵはＲＯＭに予め記憶されたプログラムに従い動作し、ＲＡＭはＣＰＵのワークメモリとして用いられる。
【００３４】
リムーバブルメモリ２２は、撮像装置１のスロット４に着脱自在に構成されている。このリムーバブルメモリ２２としては、例えば、電気的に情報を書き換え可能なＲＯＭ(Read Only Memory)であるフラッシュメモリが用いられる。
【００３５】
制御ブロック１６はファイルシステムの機能を有し、ファイルシステムによりリムーバブルメモリ２２内のファイルやフォルダを管理する。リムーバブルメモリコントローラ１９は、ファイルシステムの命令に基づき、リムーバブルメモリ２２に対するデータの書き込みや、リムーバブルメモリ２２からのデータの読み出しといったリムーバブルメモリ２２へのアクセス制御を行う。撮像装置１は、外部インターフェース（以下Ｉ／Ｆ）２３を有し、この外部Ｉ／Ｆ２３を介して、制御ブロック１６はパーソナルコンピュータなどの情報機器と通信することができる。外部Ｉ／Ｆ２３としては、例えばＵＳＢ（(Universal Serial Bus)を用いることができる。
【００３６】
近距離無線用アンテナ１８は、撮像装置１をゲート２の通信部３に対して通信可能な距離まで接近させたときに、例えば撮像装置１をゲート２の通信部３に対してタッチしたときに、通信部３と通信が可能となるアンテナである。このような近距離用無線アンテナ１８としては、例えば近接型（ＩＳＯ１４４４３）または密接型（ＩＳＯ１０５３６）の非接触ＩＣカードなどに用いられているものを使用できる。なお、ＩＳＯ１４４４３に規定される近接型のＩＣカードは、２０ｃｍ程度の通信距離を有し、ＩＳＯ１０５３６に規定される密着型のＩＣカードは、２ｍｍ程度の通信距離を有する。近距離無線用アンテナ１８がアンテナコイルである場合には、撮像装置１を通信部３に対して所定の距離より近づけると、電磁誘導により近距離無線用アンテナ１８に起電力が発生する。
【００３７】
電源供給部２０は、例えばバッテリーを有し、制御ブロック１６の制御により、撮像装置１に備えられた各部に電力を供給する。また、電源供給部２０は、撮像装置１の電源がオフされている場合にも、制御ブロック１６に電力を供給するようになっている。この場合には、電源供給部２０は、通信に関連する部分のみを駆動するのに必要な電力を制御ブロック１６に供給するように、制御ブロック１６により制御される。すなわち、制御ブロック１６は、撮像装置１の電源がオフされている場合には、電源供給部２０から供給される電力により通信に関連する部分のみを駆動するようになっている。なお、撮像装置１の電源がオフされている場合の制御ブロック１６の動作はこれに限られるものではなく、例えば、制御ブロック１６のクロック周波数を下げることにより、低電力により制御ブロック１６が駆動されるようにしてもよい。
【００３８】
例えば、撮像装置１の電源がオフされているときに、近距離無線用アンテナ１８を介してゲート２から撮像装置１の制御ブロック１６に場所名情報が供給された場合には、制御ブロック１６は、この供給された場所名情報をフォルダ名として新規フォルダをリムーバブルメモリコントローラ１９を介してリムーバブルメモリ２２に作成する。これにより、駅やテーマパークなどでゲート２を通過するときにそのゲート２の通信部３に対して撮像装置１をタッチすることにより、ゲート２の有する場所名情報（例えば東京ドーム、東京タワー）をフォルダ名として新規フォルダを作成することができる。なお、近距離無線用アンテナ１８に電源を供給する構成としてもよい。
【００３９】
（１−３）第１の実施形態による通信部の構成
図３は、この発明の第１の実施形態による通信部３の一構成例を示すブロック図である。近距離無線用アンテナ３３は、撮像装置１をゲート２の通信部３に対して通信可能な距離まで接近させたときに、例えば撮像装置１をゲート２の通信部３に対してタッチしたときに、撮像装置１に備えられた近距離無線用アンテナ１８と通信が可能となるアンテナである。このような近距離無線用アンテナ３３としては、例えば、例えば近接型（ＩＳＯ１４４４３）または密接型（ＩＳＯ１０５３６）の非接触ＩＣカードなどのリーダ・ライタに用いられているものを使用できる。メモリ３２は、撮像装置１に供給するための場所名情報を記憶する。制御ブロック３１は、メモリ３２から場所名情報を読み出し、近距離無線用アンテナ３３に供給する。
【００４０】
制御ブロック３１は、撮像装置１をゲート２に対して接近させたときに、撮像装置１内の制御ブロック１６と所定のプロトコルでやり取りして、撮像装置１が接近したと判断した場合には、メモリ３２から場所名情報を読み出し、この場所名情報を近接無線用アンテナ３３を介して撮像装置１に対して通知する。
【００４１】
図４は、この発明の第１の実施形態による撮像装置１と通信部３とのやり取りの一例を説明するための概略図である。ここでは、近距離無線用アンテナ１８および近距離無線用アンテナ３３がアンテナコイルである場合を例として、撮像装置１と通信部３のやり取りについて説明する。
【００４２】
まず、撮像装置１をゲート２の通信部３に対してタッチすると（ＳＥＱ１００）、電磁誘導により撮像装置１の近距離無線用アンテナ１８に起電力が発生する（ステップＳ１０）。この起電力により、撮像装置１内の制御ブロック１６が起動して、撮像装置１の制御ブロック１６と、ゲート２の制御ブロック３１とが所定の通信プロトコルでやり取りが行われる（ＳＥＱ１０１）。そして、ゲート２の制御ブロック３１が、撮像装置１を認識すると（ステップＳ１１）、撮像装置１の制御ブロック１６に対して場所名情報を通知する（ＳＥＱ１０２）。撮像装置１の制御ブロック１６は、ゲート２の制御ブロック３１から通知された場所名情報をフォルダ名としてフォルダをリムーバブルメモリ２２に作成さる。
【００４３】
（１−４）第１の実施形態による撮像装置の動作
図５は、この発明の第１の実施形態による撮像装置１のフォルダ作成・設定動作を説明するためのフローチャートである。まず、ステップＳ１において、駅の改札口または遊園地の入場口などに設けられたゲート２を通過するときに、ユーザがその通信部３に対して撮像装置１をタッチすると、ステップＳ２において、撮像装置１内の制御ブロック１６と通信部３内の制御ブロック３１との間で、近距離無線用アンテナ１８および３３を介して所定のプロトコルでやり取りが行され、通信部３の制御ブロック３１から撮像装置１の制御ブロック１６へ場所名情報が通知される。
【００４４】
次に、ステップＳ３において、制御ブロック１６が、リムーバブルメモリ２２の前回作成されたフォルダ内に画像ファイルが格納されているか否かを判断する。
【００４５】
ステップＳ３にてリムーバブルメモリ２２の前回作成されたフォルダ内に画像ファイルが格納されてないと判断された場合には、ステップＳ４において、制御ブロック１６は、リムーバブルメモリコントローラ１９を介して前回作成されたフォルダをリムーバブルメモリ２２から削除する。そして、フォルダがリムーバブルメモリ２２から削除されたら、処理は次のステップＳ５に移行する。このステップＳ３およびＳ４の処理により、画像ファイルが保存されていないフォルダを削除することができる。すなわち、不必要なフォルダが増えることを防ぐことができる。
【００４６】
一方、ステップＳ３にてリムーバブルメモリ２２の前回作成されたフォルダ内に画像ファイルが格納されていると判断された場合には、ステップＳ５において、制御ブロック１６は、ステップＳ２にて取得した場所名情報と同じフォルダ名のフォルダがリムーバブルメモリ２２内にあるか否かを判断する。
【００４７】
ステップＳ２にて取得した場所名情報と同じフォルダ名のフォルダがリムーバブルメモリ２２内にないと判断された場合には、ステップＳ６において、制御ブロック１６が、リムーバブルメモリコントローラ１９を介して、ステップＳ２にて取得した場所名情報をフォルダ名として新規フォルダを作成する。そして、ステップＳ７において、制御ブロック１６が、ステップＳ６にて作成された新規フォルダを、撮影画像の格納先となるフォルダ（以下、格納フォルダと称する）に設定する。
【００４８】
一方、ステップＳ２にて取得した場所名情報と同じフォルダ名のフォルダがリムーバブルメモリ２２内にあると判断された場合には、ステップＳ８において、制御ブロック１６が、ステップＳ２にて取得した場所名情報と同じフォルダ名のフォルダを格納フォルダに設定する。
【００４９】
このように既存または新規フォルダを格納フォルダに設定することにより、次のゲート２にて新規フォルダを作成したり、撮影画像の格納先となる格納フォルダを変更したりするまでの間に撮影された画像は、ステップＳ７またはＳ８にて設定された格納フォルダに順次格納される。
【００５０】
この発明の第１の実施形態によれば以下の効果を得ることができる。
ゲート２が設けられた場所またはその周辺で撮影する意思がある場合には、ゲート２を通過するときにその通信部３に対して撮像装置１をタッチだけすれば、そのゲート２が設けられた場所またはその周辺の名称（例えば、東京ドーム）などの、直感的に分かりやすい名称をフォルダ名として新規フォルダを作成することができる。
【００５１】
また、テーマパークなどでは一般的に入場口などにゲート２が設けられているため、そのゲート２に通信部３を備えさえすれば、ゲート２通過時にフォルダを作成することができる。したがって、ユーザはフォルダを作成するために近距離無線用アンテナ３３を探す手間をかけずに済む。
【００５２】
また、各駅の改札などのゲート２にも近距離無線用アンテナ３３を備えれば、目的地にこのシステムに対応したゲート２などが設けられていない場合でも、目的地の最寄駅の駅名（例えば新宿、渋谷、品川など）で撮影画像を分類できるため、撮影画像を直感的に分かりやすく分類することができる。
【００５３】
例えば、新宿駅の改札口にあるゲート２を通過するときにその通信部３に対して撮像装置１をタッチすれば、"新宿駅"をフォルダ名として新規フォルダが作成され、このフォルダ内に新宿駅周辺にある建物（例えば、東京都庁）で撮影した画像が順次保存されるので、新宿駅周辺にある建物（例えば、東京都庁）などがこのシステムに対応していなくい場合であっても、撮影画像を直感的に分かりやすく分類することができる。したがって、例えばＧＰＳ方式により得られた緯度経度情報に基づきフォルダ名として"新宿区西新宿２−８−１"を付与する従来の方法よりも、より直感的に分かりやすいように撮影画像を分類することができる。
【００５４】
また、公園やショッピングゾーンなどのゲート２が設けられていない場所であっても、駐車場や出入り口付近に通信部３を設ければ、撮像装置１を用いて場所名情報を受け取ることは容易に可能となる。例えば、駐車場が有料駐車場である場合には、その有料駐車場の出入口に通信部３を設けることが考えられる。
【００５５】
（１−５）第１の実施形態の変形例
上述の第１の実施形態では、場所名情報がゲート２を設けた場所またはその周辺をユーザが直感的に理解可能しやすい名称からなり、その名称がフォルダ名となる場合を説明したが、場所名情報はこのような名称に限られるものではなく、場所名情報は、アトラクションや駅に設けられたゲート２に固有なＩＤ情報であってもよい。この場合、例えば、ＩＤ情報とそのＩＤ情報を有するゲート２が設けられた場所またはその周辺をユーザが直感的に理解可能しやすい名称とが関連付けられたテーブルを、撮像装置１内のメモリ１７に記憶しておくようにする。そして、ゲート２の制御ブロック３１から撮像装置１の制御ブロック１６にＩＤ情報が通知されたときには、制御ブロック１６が、このＩＤ情報に基づき、メモリ１７に記憶されたテーブルなどを検索してＩＤ情報に対応する名称を抽出して、この名称をフォルダ名として新規フォルダを作成し、格納フォルダに設定する。なお、このテーブルは、外部Ｉ／Ｆ２３を介して外部から取得するようにしてもよい。
【００５６】
（２）第２の実施形態
次に、この発明の第２の実施形態について説明する。上述の第１の実施形態では、ゲートを通過するときにその通信部に対して撮像装置をタッチして場所名情報を取得する場合について説明したが、この第２の実施形態では、ゲートを通過するだけで場所名情報を取得できる場合について説明する。
【００５７】
（２−１）第２の実施形態によるシステムの概要
図６は、この発明の第２の実施形態によるシステムの概要を説明するための概略図である。撮像装置１０１は、例えば撮影された画像をスロット１０４に着脱可能に装着されたメモリに格納可能に構成されたＤＳＣなどであって、例えば数１０ｃｍまたは数ｍ程度で通信可能となる近距離無線用アンテナを備える。ゲート１０２は、例えば駅の改札ゲートや遊園地の入場ゲートなどであって、例えば数１０ｃｍまたは数ｍ程度で通信可能となる近距離無線用アンテナが設けられた通信部１０３を有する。撮像装置１０１とゲート１０２とは、第１の実施形態のものよりも離れた距離で通信可能となり、例えば、数１０ｃｍまたは数ｍ程度の距離で通信可能となる。
【００５８】
鞄などに入れて撮像装置１０１を携帯するユーザが、例えばゲート１０２を通過などして撮像装置１０１が通信部１０３の通信圏内に入ると、その通信部１０３から撮像装置１０１に場所名情報（例えば新宿、東京ドーム、東京タワーなどの名称）が近距離無線用アンテナを介して通知され、この通知された場所名情報が撮像装置１０１内のメモリに記憶される。場所名情報については、上述の第１の実施形態と同様であるので説明を省略する。
【００５９】
なお、第２の実施形態では、場所名情報が自動的に取得されるので、ユーザが場所名情報を取得したことを認識していない場合があり得る。したがって、すぐにフォルダを作成せずに、上述のように受信した場所名情報を撮像装置１０１内のメモリに一旦記憶しておくことが必要となる。
【００６０】
そして、ユーザが撮像装置１０１内のメモリに記憶されている場所名情報を、撮像装置１０１に備えられた画像表示装置に一覧表示させて、その一覧表示内から所望の場所名情報を選択すると、選択された場所名情報をフォルダ名として新規フォルダが作成される。これ以降に撮影された撮影画像は、上述のようにして作成されたフォルダ内に画像ファイルとして順次格納される。
【００６１】
（２−２）第２の実施形態による撮像装置の構成
図７は、この発明の第２の実施形態による撮像装置１０１の一構成例を示すブロック図である。なお、上述の第１の実施形態と共通の部分には同一の符号を付しその説明を省略する。
【００６２】
近距離無線用アンテナ１１１は、撮像装置１０１を携帯するユーザがゲート１０２を通過などするときに、その内部または周辺に設けられた通信部１０３の近距離無線用アンテナと通信が可能となる程度の通信距離を有するアンテナである。このような近距離用無線アンテナ１１１としては、例えば近傍型（ＩＳＯ１５６９３）のＩＣカードなどに用いられているものを使用できる。なお、ＩＳＯ１５６９３に規定される近傍型のＩＣカードでは、１ｍ程度の通信距離を有する。これに限らず、数ｍ程度またはそれ以上の通信距離を有するアンテナを用いるようにしてもよい。
【００６３】
（２−３）第２の実施形態による通信部の構成
図８は、この発明の第２の実施形態による通信部１０３の一構成例を示すブロック図である。なお、上述の第１の実施形態と同様の部分には同一の符号を付しその説明を省略する。近距離無線用アンテナ１２１は、撮像装置１０１を携帯するユーザがゲート１０２を通過などするときに、撮像装置１０１に備えられた近距離無線用アンテナ１１１と通信が可能となる程度の通信距離を有するアンテナである。このような近距離用無線アンテナ１２１としては、例えば近傍型（ＩＳＯ１５６９３）のＩＣカードなどのリーダ・ライタに用いられているものを使用できる。
【００６４】
（２−４）第２の実施形態による撮像装置の背面部
図９は、この発明の第２の実施形態による撮像装置１０１の背面部の一例を示す。この例では、撮像装置１０１の背面部分には、ＬＣＤなどからなる画像表示装置１４が設けられている。そして、この画像表示装置１４の側方には、画面表示装置１４にメニューを表示するためのメニューボタン１３１、フォルダおよびファイルを削除するための削除ボタン１３２、撮影画像を画面表示装置１４に表示するための再生ボタン１３６、メニュー内において項目の選択などをするための十字ボタン１３３が備えられている。また、十部ボタン１３３の中央にはメニュー内にて選択されている項目の決定などをするための決定ボタン１３４が備えられている。また、撮像装置１の上面部にはシャッターボタン１３５が設けられている。シャッターボタン１３５を削除ボタン１３２および決定ボタン１３４の代用として用いることができる。なお、これらのボタンなどは、上述の操作ブロック１５に備えられている。
【００６５】
（２−５）第２の実施形態による撮像装置のフォルダ名設定画面
図１０は、この発明の第２の実施形態による撮像装置１０１の画面表示装置１４に表示されるフォルダ名設定画面１４ａの一例を示す。フォルダ名設定画面１４ａとは、撮影画像の格納先となる格納フォルダのフォルダ名を設定するための画面であって、この画面には、上述のようにユーザがゲート１０２を通過などしたときにメモリ１７に記憶された場所名情報が一覧表示される。
【００６６】
この一覧表示内にて選択されている場所名情報は、例えば枠１４ｄにより囲まれるなどして強調表示される。また、場所名情報の数が画面表示装置１４に一度に表示可能な数を越えている場合には、場所名情報の一覧の側方にスクロールバー１４ｂが表示され、このスクロールバー１４ｂ内には棒状のスクロール・ボックス１４ｃが表示される。この場合には、十字キー１３３の上下ボタンを適宜押すと、表示画面がスクロールされる。例えば、画面表示装置１４に表示されている場所名情報のうち、最上部または最下部の項目が強調表示されている状態において、十字キー１３３の上下ボタンを押すと、表示画面が上方または下方にスクロールされる。
【００６７】
また、場所名情報の数が画面表示装置１４に一度に表示可能な数を越えている場合には、上述のスクロールバー１４ｂに代えて、フォルダ名設定画面１４ａの上部、下部にそれぞれ表示画面を上下にスクロール可能であることをユーザに促す表示、例えば▲（上向き三角）、▼（下向き三角）などを表示するようにしてもよい。
【００６８】
ここで、図９および図１０を参照しながら、新規フォルダ作成の操作手順について説明する。まず、フォルダ名設定画面１４ａにおいて、十字キー１３３を適宜操作して所望の場所名情報を選択する。次に、所望の場所名情報が選択されている状態において、決定ボタン１３４を押す。これにより、選択されている場所名情報をフォルダ名としてリムーバブルメモリ２２内に新規フォルダが作成される。
【００６９】
（２−６）第２の実施形態による撮像装置の動作
図１１は、この発明の第２の実施形態による撮像装置１０１の場所名情報の格納動作を説明するためのフローチャートである。まず、ステップＳ１０１において、撮像装置１０１を携帯するユーザが、駅の改札口またはアトラクションの入場口などに設けられたゲート１０２を通過すると、ステップＳ１０２において、撮像装置１０１内の制御ブロック１６とゲート２内の制御ブロック３１とが所定のプロトコルでやり取りを行い、ゲート１０２の制御ブロック３１から撮像装置１の制御ブロック１６に場所名情報が通知される。
【００７０】
次に、ステップＳ１０３において、制御ブロック１６が、メモリ１７内に記憶された場所名情報を検索して、ステップＳ１０２にてゲート１０２から通知された場所名情報と同じ場所名情報がメモリ１７内に格納されているか否かを判断する。
【００７１】
Ｓ１０３にてゲート１０２から通知された場所名情報と同じ場所名情報が格納されていないと判断された場合には、ステップＳ１０４において、制御ブロック１６が、ステップＳ１０２にてゲート１０２から通知された場所名情報をメモリ１７に格納する。
【００７２】
一方、Ｓ１０３にてゲート１０２から通知された場所名情報と同じ場所名情報が格納されていると判断された場合には、ステップＳ１０２にてゲート１０２から通知された場所名情報はメモリ１７に格納されず、処理は終了となる。なお、場所名情報とその場所名情報を取得したときの時刻情報とが関連づけてメモリ１７内に記憶されているときには、ステップＳ１０３にてゲート１０２から通知された場所名情報と同じ場所名情報が格納されていると判断された場合には、この場所名情報に関連づけられている時刻情報を上書きまたは、この場所名情報に時刻情報をさらに追加して関連づけるようにしてもよい。また、場所名情報とその場所名情報の取得回数とが関連づけてメモリ１７内に記憶されているときには、ステップＳ１０３にてゲート１０２から通知された場所名情報と同じ場所名情報が格納されていると判断された場合には、この場所名情報に関連づけられている取得回数を更新するようにしてもよい。
【００７３】
図１２は、この発明の第２の実施形態による撮像装置１０１のフォルダの作成・設定動作を説明するためのフローチャートである。まず、ステップＳ１１１において、例えば、画像表示装置１４に表示されたメニューにてフォルダ作成モードが選択されると、ステップＳ１１２において、制御ブロック１６が、メモリ１７に記憶された場所名情報を読み出す。
【００７４】
大量の場所名情報がメモリ１７に記憶されている場合には、メモリ１７に記憶された場所名情報を画面表示装置１４に一覧表示すると、ユーザは画面をスクロールしながら大量の場所名情報から所望の場所名情報を検索しなければならなくなってしまうと考えられる。そのため、抽出条件を設けて、抽出条件に合致した場所名情報を画面表示装置１４に一覧表示することが好ましい。抽出条件を設ける場合には、ステップＳ１１３において、メモリ１７に抽出条件に合致する場所名情報があるか否かが判断される。一方、抽出条件を設けない場合には、ステップＳ１１３の処理を省略し、ステップＳ１１２からステップＳ１１６に処理が移行する。
【００７５】
ステップＳ１１３において、制御ブロック１６が、抽出条件に合致する場所名情報がメモリ１７内にあるか否かを判断する。
【００７６】
ステップＳ１１３にてメモリ１７内に抽出条件に合致する場所名情報がないと判断された場合には、ステップＳ１１４において、制御ブロック１６が、標準フォルダを格納フォルダに設定する。ここで、標準フォルダとは、抽出条件に合致する場所名情報がない場合や、フォルダ名としてユーザが所望する場所名情報がない場合に、撮影画像を格納するためのデフォルトのフォルダである。
【００７７】
一方、ステップ１１３にてメモリ１７内に抽出条件に合致する場所名情報があると判断された場合には、ステップＳ１１５において、制御ブロック１６が、抽出条件に合致した場所名情報に基づきフォルダ名設定画面１４ａを表示する。そして、処理はステップＳ１１６に移行する。
【００７８】
ステップＳ１１６において、制御ブロック１６が、フォルダ名設定画面１４ａに一覧表示された場所名情報から所望の場所名情報が選択・決定されたか否かを判断する。
【００７９】
ステップＳ１１６にてフォルダ名設定画面１４ａに一覧表示された場所名情報から所望の場所名情報が選択・決定されず、標準フォルダへの画像データの格納が選択されたと判断された場合には、処理はステップＳ１１４に移行する。なお、標準フォルダへの画像データの格納の選択は、例えば、フォルダ名設定画面１４ａに“標準フォルダ選択”を１項目として表示し、この項目を選択・決定することによりなされる。
【００８０】
一方、ステップＳ１１６にてフォルダ名設定画面１４ａに一覧表示された場所名情報から所望の場所名情報が選択・決定されたと判断された場合には、ステップＳ１１７において、制御ブロック１１６は、ステップＳ１１６にて選択・決定された場所名情報をフォルダ名として新規フォルダを作成する。その後、ステップＳ１１８において、制御ブロック１６は、ステップＳ１１７にて作成された新規フォルダを格納フォルダに設定する。
【００８１】
次に、上述の抽出条件について説明する。抽出条件は、大量の場所名情報がメモリ１７に記憶されている場合に、ユーザの検索負担を低減するために設けることが好ましく、抽出条件としては、例えば、過去所定時間以内（例えば過去５時間以内）、取得時刻の新しい順に所定個数、直近に通過した所定ゲート数（例えば１時間以内に通過したゲート１０個）、ゲートの通過頻度、場所名情報の選択頻度などが挙げられる。
【００８２】
過去所定時間以内、取得時刻の新しい順に所定個数または最近通過した所定ゲート数などの抽出条件に基づき、場所名情報を抽出する場合には、制御ブロック１６が、場所名情報とその場所名情報を取得したときの時刻情報とを関連付けてメモリ１７に記憶する。そして、制御ブロック１６が、過去所定時間以内、取得時刻の新しい順に所定個数または最近通過した所定ゲート数などの抽出条件に合致した場所名情報をフォルダ名設定画面１４ａに一覧表示するようにする。また、通信部１０３が、時刻情報が付加された場所名情報を撮像装置１０１に送信するようにしてもよい。
【００８３】
また、ゲートの通過頻度に基づき、場所名情報を抽出する場合には、例えば、制御ブロック１６が、場所名情報とその場所名情報の取得回数とをメモリ１７に関連づけて記憶する。そして、抽出条件としてゲートの通過頻度が選択または設定された場合には、制御ブロック１６が、メモリ１７を検索して、取得回数が所定回数以上の場所名情報を抽出して、フォルダ名設定画面１４ａに一覧表示するようにする。
【００８４】
また、場所名情報の選択頻度に基づき、場所名情報を抽出する場合には、例えば、選択・決定された場所名情報とその場所名情報の選択・決定回数とをメモリ１７に関連づけて記憶する。そして、選択条件として選択頻度が選択または設定された場合には、制御ブロック１６が、メモリ１７を検索して、選択回数が所定回数以上の場所名情報を抽出して、フォルダ名設定画面１４ａに一覧表示するようにする。そして、このフォルダ名設定画面１４ａから所望の場所名情報が選択された場合には、制御ブロック１６が、その選択された場所名情報と関連づけてメモリ１７に記憶された選択・決定回数をインクリメントする。
【００８５】
なお、このような複数の抽出条件からユーザが所望するものを選択できるようにしてもよい。この場合、例えば、撮像装置１０１は以下のように動作する。メニュー内の項目から抽出条件設定モードが選択・決定されると、制御ブロック１６が、抽出条件を一覧表示する抽出条件設定画面を表示する。そして、この抽出条件設定画面から所望する抽出条件を選択・決定されると、制御ブロック１６が、この選択・決定された条件を設定条件として設定する。場所名情報を読み出しの際には、この設定された抽出条件に基づき場所名情報がメモリ１７から読み出し、画面表示装置１４に一覧表示する。
【００８６】
また、一覧表示する際の表示順序として、例えば、取得時刻が新しい順、ゲートの通過頻度が高い順、場所名情報の選択頻度が高い順、場所および建物の大小順などが挙げられる。
【００８７】
なお、このような複数の表示順序からユーザが所望するものを選択できるようにしてもよい。例えば、複数の表示順序をメニュー表示して、このメニュー内からユーザが所望する抽出条件を選択できるようにする。
【００８８】
また、場所名情報をジャンル分けして一覧表示するようにしてもよい。ここで、ジャンル分けとしては、例えば、テーマパーク、駅などの建造物によるジャンル分け、山手線、中央線などの沿線名によるジャンル分け、新宿区、渋谷区などの地域によるジャンル分けなど、種々のジャンル分けを用いることができる。なお、このようにジャンル分けする場合には、場所名情報にジャンル識別番号をさらに付け加えておくようにする。
【００８９】
なお、通信部１０３を設ける場所は、駅の改札口に設けられたゲート１０２および、テーマパークや水族館などの娯楽スポットの入場口に設けられたゲート１０２に限られるものではなく、ゲート１０２およびその付近に近距離無線用アンテナ１２１さえ設けられれば特に限定されるものではない。例えば、観光地化されたビルなどの各出入口に、近距離無線用アンテナ１２１を設けるようにしてもよい。また、公園やショッピングゾーンなどにはゲート１０２が存在しないが、この場合には駐車場や出入り口付近に通信部１０３設ければよい。
【００９０】
この発明の第２の実施形態によれば以下の効果を得ることができる。
テーマパークなどでは一般的に入場口などにゲート１０２が設けられているため、そのゲート１０２に通信部１０３を備えさえすれば、ゲート１０２通過時に場所名情報を取得することができる。したがって、ユーザは場所名情報を取得するために近距離無線用アンテナ１２１を探す手間をかけずに済む。
【００９１】
さらに駅の改札口に設けられたゲート１０２に通信部１０３を備えれば、目的地がこのシステムに対応していない場合にも、目的地の最寄りの駅名で撮影画像が分類されるため、大量の撮影画像のうちから所望のものを類推しやすくなるのは、上述の第１の実施形態と同様である。
【００９２】
（２−７）第２の実施形態の変形例
上述の第２の実施形態では、場所名情報がゲート１０２を設けた場所またはその周辺をユーザが直感的に理解可能しやすい名称からなり、その名称がフォルダ名となる場合を説明したが、場所名情報はこのような名称に限られるものではなく、場所名情報は、アトラクションや駅に設けられたゲート１０２に固有なＩＤ情報であってもよい。この場合、例えば、ＩＤ情報とそのＩＤ情報を有するゲート２が設けられた場所またはその周辺をユーザが直感的に理解可能しやすい名称とが関連付けられたテーブルを、撮像装置１内のメモリ１７に記憶しておくようにする。そして、ゲート１０２の制御ブロック３１から撮像装置１０１の制御ブロック１６にＩＤ情報が通知されたときには、制御ブロック１６が、このＩＤ情報に基づき、メモリ１７に記憶されたテーブルなどを検索してＩＤ情報に対応する名称を抽出して、この名称をメモリ１７に記憶する。そして、例えば、画面表示装置１４に表示されたメニューにてフォルダ作成モードが選択された場合には、制御ブロック１６が、メモリに記憶された名所を読み出して画面表示装置１４に一覧表示する。なお、このテーブルは、外部Ｉ／Ｆ２３を介して外部から取得するようにしてもよい。
【００９３】
上述の第２の実施形態において、撮像装置１０１がゲート１０２から取得した所名情報をメモリ１７に記憶せずに、この場所名情報をフォルダ名として新規フォルダをリムーバブルメモリ２２に作成するようにしてもよい。
【００９４】
この場合、具体的には、撮像装置１０１は以下のように動作する。まず、撮像装置１０１を携帯するユーザがゲート１０２を通過などしたときに、上述の第２の実施形態と同様にして、制御ブロック１６が、場所名情報を近距離無線用アンテナ１１１を介してゲート１０２から取得する。そして、制御ブロック１６が、この取得した場所名情報をメモリ１７に記憶せずに、ゲート２から取得した場所名情報をフォルダ名として新規フォルダをリムーバブルメモリコントローラ１９を介してリムーバブルメモリ２２に作成する。
【００９５】
このようにすることで、ユーザは、リムーバブルメモリ２２に作成されたフォルダのフォルダ名を画像表示装置１４に表示させ、表示されたフォルダ名の中から所望のフォルダ名を探すことができる。すなわち、パーソナルコンピュータ（ＰＣ）においてウインドウシステムによるＧＵＩ(Graphical User Interface)を使って所望のフォルダを探すようにして、リムーバブルメモリ２２から所望のフォルダを探すことができる。
【００９６】
また、上述の第２の実施形態において、撮像装置１０１がゲート１０２から取得した場所名情報をメモリ１７に記憶すると共に、その場所名情報をフォルダ名とする新規フォルダをリムーバブルメモリ２２に記憶するようにしてもよい。
【００９７】
この場合、具体的には、撮像装置１０１は以下のように動作する。まず、撮像装置１０１を携帯するユーザがゲート１０２を通過などしたときに、上述の第２の実施形態と同様にして、制御ブロック１６が、場所名情報を近距離無線用アンテナ１１１を介してゲート１０２から取得する。そして、制御ブロック１６が、ゲート１０２から取得した場所名情報をメモリ１７に記憶する。また、制御ブロック１６が、ゲート１０２から取得した場所名情報をフォルダ名として新規フォルダをリムーバブルメモリコントローラ１９を介してリムーバブルメモリ２２に作成する。
【００９８】
このようにすることで、所望のフォルダ名を有するフォルダがリムーバブルメモリ２２内にある場合には、そのフォルダ内に撮影画像を画像ファイルとして格納し、リムーバブルメモリ２２の交換などによって所望のフォルダ名を有するフォルダがリムーバブルメモリ２２から無くなってしまった場合には、メモリ１７内に記憶されている場所名情報のうちから所望の場所名情報を選び出し、その場所名情報をフォルダ名として新規フォルダをリムーバブルメモリ２２に作成することができる。
【００９９】
（３）第３の実施形態
次に、この発明の第３の実施形態について説明する。この第３の実施形態では、撮像装置に至近距離用のアンテナと近距離用のアンテナとを備える。また、駅の改札ゲートなどに、撮像装置の至近距離用のアンテナと通信可能な第１の通知部を備え、第１の通信部が設けられた場所またはその周辺に位置する建造物のゲートなどに、撮像装置の近距離無線用アンテナと通信可能な第２の通信部を備える。
【０１００】
撮像装置を携帯するユーザが、駅の改札口などのゲートに備えられた第１の通信部に対して撮像装置をタッチすると、至近距離用のアンテナを介して第１の通信部から撮像装置に場所名情報に通知され、この通知された場所名情報をフォルダ名として親フォルダがリムーバブルメモリ内に作成される。そして、撮像装置を携帯するユーザが、第１の通信部が設けられた場所またはその周辺に位置する建造物のゲートを通過などすると、近距離用のアンテナを介して第２の通信部から撮像装置に場所名情報が通知され、この通知された場所名情報をフォルダ名として子フォルダが、上述のタッチにより作成された親フォルダ内に作成される。
【０１０１】
（３−１）第３の実施形態によるシステムの概要
以下、図を参照して、この第３の実施形態によるシステムについて説明する。図１３は、この発明の第３の実施形態によるシステムの概要を説明するための概略図である。撮像装置２０１は、例えば、撮影された画像をスロット２０２に着脱可能に装填されたメモリに格納可能に構成されたＤＳＣなどであって、至近距離で通信可能である第１の近距離無線用アンテナと、この第１の近距離無線用アンテナよりも離れた距離で通信可能、例えば、数１０ｃｍまたは数ｍ程度の距離で通信可能である第２の近距離無線用アンテナとを備える。
【０１０２】
ゲート２０３は、例えば駅の改札ゲートなどであって、第１の近距離無線用アンテナが設けられた通信部２０４を有する。この通信部２０４は、ゲート２０３が設置された場所に関連する場所名情報を記憶している。
【０１０３】
ゲート２０５は、例えばビル、遊園地または公園の入場ゲートなどであって、例えば数１０ｃｍまたは数ｍ程度で通信可能となる第２の近距離無線用アンテナが設けられた通信部２０６を有する。撮像装置２０１と通信部２０６とは、第１の実施形態のものよりも離れた距離で通信可能となり、例えば、数１０ｃｍまたは数ｍ程度の距離で通信可能となる。
【０１０４】
以下に、この第３の実施形態による撮像装置２０１のフォルダ作成の動作の概要を説明する。まず、撮像装置２０１を携帯するユーザが、ゲート２０３を通過するときにその通信部２０４に対して撮像装置２０１をタッチすると、ゲート２０３が有する場所名情報が第１の近距離無線用アンテナを介してゲート２０３から撮像装置２０１に通知される。撮像装置２０１は、この通知された場所名情報をフォルダ名として新規の親フォルダを作成し、この新規の親フォルダを撮影画像の格納先として設定する。
【０１０５】
その後、鞄などに入れて撮像装置２０１を携帯するユーザが、例えばゲート２０５を通過などして撮像装置２０１が通信部２０６の通信圏内に入ると、通信部２０６から撮像装置２０１に場所名情報（例えば新宿、東京ドーム、東京タワーなどの名称）が近距離無線用アンテナを介して通知される。撮像装置２０１は、上述のようにして作成された親フォルダ内に、ゲート２０６から通知された場所名情報をフォルダ名として子フォルダを新規作成し、この子フォルダを格納フォルダに設定する。その後、撮像装置２０１で撮影をすると、撮像装置２０１において新規の子フォルダ内に撮影画像が順次格納される。なお、場所名情報については、上述の第１の実施形態と同様であるので説明を省略する。
【０１０６】
例えば、駅のゲート２０３を通過するときにその通信部２０４に対して撮像装置２０１をタッチし、その駅の周辺にある建造物に設けられたゲート２０５を通過し、その後、その建造物内にて撮影をすると、駅名をフォルダ名とする親フォルダがリムーバブルメモリ内に作成され、その親フォルダ内に、建造物名をフォルダ名とする子フォルダが作成され、その子フォルダ内に建造物内にて撮影した撮影画像が格納される。
【０１０７】
次のゲート２０３を通過するときにその通信部２０４に対して撮像装置２０１をタッチするか、もしくは、次のゲート２０５を通過するなどしてその通信部２０６から場所情報を取得するか、または、撮影画像の保存先として設定されているフォルダをリセットしない限りは、同一フォルダ内に撮影画像が順次格納され続ける。
【０１０８】
上述の概要の説明は撮像装置２０１の動作の一例であって、フォルダの作成順序などの各種の動作は、この概要の説明に限定されるものではない。
【０１０９】
（３−２）第３の実施形態による撮像装置の構成
図１４は、この発明の第３の実施形態による撮像装置２０１の一構成例を示すブロック図である。なお、上述の第１の実施形態と同様の部分には同一の符号を付しその説明を省略する。制御ブロック２１３に対して、通信部２０４と通信を行うための第１の近距離無線用アンテナ２１１と、通信部２０６と通信を行うための第２の近距離無線用アンテナ２１２とが接続されている。制御ブロック２１３は、これらの第１の近距離無線用アンテナ２１１と第２の近距離無線用アンテナ２１２とを区別できるようになっている。第１の近距離無線用アンテナ２１１は、第１の実施形態における近距離無線用アンテナ１８と同様であるので説明を省略する。第２の近距離無線用アンテナ２１２は、第２の実施形態における近距離無線用アンテナ１１１と同様であるので説明を省略する。第１の近距離無線用アンテナ２１１と第２の近距離無線用アンテナ２１２とは、例えば異なるプロトコルまたは周波数で情報をやり取り可能となっている。
【０１１０】
（３−３）第３の実施形態による第１の通信部の構成
第１の通信部２０４の構成は、上述の第１の実施形態による通信部３と同様であるので説明を省略する。
【０１１１】
（３−４）第３の実施形態による第２の通信部の構成
第２の通信部２０６の構成は、上述の第２の実施形態による通信部１０３と同様であるので説明を省略する。
【０１１２】
（３−４）第３の実施形態による撮像装置の背面部
第３の実施形態による撮像装置２０１の背面部は、上述の第２の実施形態と同様であるので説明を省略し、以下では、図９に示した各部と対応する部分には、同一の符号を用いて説明する。
【０１１３】
（３−５）第３の実施形態による撮像装置のフォルダ名表示画面
図１５は、この発明の第３の実施形態による撮像装置２０１の画面表示装置１４に表示されるフォルダ名表示画面２２１の一例を示す。フォルダ名表示画面２２１とは、リムーバブルメモリ２２内に作成されたフォルダのフォルダ名を一覧表示する画面である。
【０１１４】
このフォルダ名表示画面２２１は、親フォルダ名表示欄２２２と子フォルダ名表示欄２２３とを備える。親フォルダ名表示欄２２２には、ユーザがゲート２０３の通信部２０４に対して撮像装置２０１をタッチしたときにメモリ１７に作成される親フォルダのフォルダ名が一覧表示される。子フォルダ名表示欄２２３には、親フォルダ名表示欄に一覧表示されたフォルダ名のうち、選択されているフォルダ名の親フォルダ内に収納されている子フォルダのフォルダ名が表示される。
【０１１５】
親フォルダ名表示欄２２２または子フォルダ名表示欄２２３にて選択されているフォルダ名のフィールド２２２ａ，２２３ａは、他のフィールドと異なる色、色調または濃淡などが付されて表示される。例えば、選択されているフォルダ名のフィールドには濃い色が付されて表示され、選択されていないフォルダ名のフィールドには淡い色が付されて、フィールドが半透明状となるように表示される。また、選択させているフォルダ名が、例えば枠により囲まれるなどして強調表示されるようにしてもよい。
【０１１６】
また、撮影画像が格納されているフォルダであるか否かを直感的に区別できるように、、画像が格納されていないフォルダのフォルダ名が表示されるフィールド２２３ｂが、画像が格納されているフォルダのフォルダ名が表示されるフィールドと異なる色、色調または濃淡などが付されて表示されるようにしてもよい。撮影画像が格納されていないフォルダのフォルダ名が表示されるフィールド２２３ｂは、例えば、撮影画像が格納されているフォルダのフォルダ名が表示されるフィールドに比して暗い色で表示される。
【０１１７】
また、場所名情報の数が画面表示装置１４に一度に表示可能な数を越えている場合には、フォルダ名表示画面２２１の上部、下部にそれぞれ表示画面を上限にスクロール可能であることユーザに促す表示、例えば、▲（上向き三角）２２４ａ、▼（下向き三角）２２４ｂが表示される。この場合には、十字キー１３３の上下ボタンを適宜押すと、表示画面がスクロールされる。例えば、画面表示装置１４に表示されている場所名情報のうち、最上部または最下部の項目が選択表示されている状態において、十字キー１３３の上下ボタンを押すと、表示画面が上方または下方にスクロールされる。
【０１１８】
また、場所名情報の数が画面表示装置１４に一度に表示可能な数を越えている場合には、親フォルダ名表示欄または子フォルダ名表示欄の側方にスクロールバーが表示され、このスクロールバー内には棒状のスクロール・ボックスが表示されるようにしてもよい。
【０１１９】
ここで、図１５を参照しながら、リムーバブルメモリ２２のフォルダ内に格納された撮影画像の再生手順の一例について説明する。まず、メニューにおいて画像再生モードを選択して、フォルダ名表示画面２２１を表示する。そして、十字キー１３３を適宜操作して、フォルダ名表示画面２２１から再生を所望の子フォルダ名を選択して、例えば、再生ボタン１３６を押す。これにより、選択された子フォルダに格納されている撮影画像が画像表示装置１４に表示される。十字キー１３３を適宜操作することで、選択された子フォルダ内に格納された撮像画像を、例えば撮影時間順に順次表示することができる。
【０１２０】
次に、図１５を参照しながら、フォルダ削除の操作手順の一例について説明する。まず、メニューにおいて画像再生モードを選択して、フォルダ名表示画面２２１を表示する。そして、十字キー１３３を適宜操作して、フォルダ名表示画面２２１から削除を所望する親フォルダ名または子フォルダ名を選択して、例えば、削除ボタン１３２を押す。親フォルダ名を選択して削除ボタン１３２を押した場合には、選択された親フォルダとこの親フォルダに格納された子フォルダおよび撮影画像がリムーバブルメモリ２２内から削除される。また、子フォルダ名を選択して削除ボタン１３２を押した場合には、選択された子フォルダとこの子フォルダに格納された撮影画像がリムーバブルメモリ２２内から削除される。なお、フォルダが削除された際に、この削除されたフォルダのフォルダ名を、メモリ１７のテーブルに記憶するようにしてもよい。
【０１２１】
（３−６）第３の実施形態による撮像装置のフォルダ作成テーブル
図１６は、この発明の第３の実施形態による撮像装置２０１のメモリ１７に記憶されたフォルダ作成テーブルの一例を示す。フォルダ作成テーブルは、親フォルダ名と子フォルダ名とを関連づけるテーブルである。このフォルダ作成テーブルはメモリ１７に記憶され、子フォルダまたは親フォルダをリムーバブルメモリ２２に作成する際に、制御ブロック２１３により参照される。
【０１２２】
図１６では、親フォルダのフォルダ名は駅名であり、子フォルダのフォルダ名は、子フォルダが格納される親フォルダのフォルダ名を有する駅周辺にある建造物（例えば、東京ドーム、東京タワー、武道館など）、施設（代々木公園、日比谷公園など）などの名称である場合が例として示されている。
【０１２３】
（３−７）第３の実施形態による撮像装置の削除フォルダ名格納テーブル
図１７は、この発明の第３の実施形態による撮像装置２０１の削除フォルダ名格納テーブルの一例を示す。削除フォルダ名格納テーブルは、リムーバブルメモリ２２から過去に消去された親フォルダ名と子フォルダ名とが関連付けて記憶されたテーブルである。例えば、子フォルダがリムーバブルメモリ２２内から削除された場合には、削除された子フォルダのフォルダ名と、その子フォルダが格納されていた親フォルダのフォルダ名とが削除フォルダ名格納テーブルに関係づけられて記憶される。この削除フォルダ名格納テーブルはメモリ１７に記憶され、過去に削除されたフォルダ名に基づきフォルダを新規作成する際に、制御ブロック２１３により参照される。
【０１２４】
図１７では、親フォルダのフォルダ名は駅名であり、子フォルダのフォルダ名は、子フォルダが格納される親フォルダのフォルダ名を有する駅周辺にある建造物（例えば、東京ドーム、東京タワー、武道館など）、施設（代々木公園、日比谷公園など）などの名称である場合が例として示されている。
【０１２５】
（３−８）第３の実施形態による撮像装置のフォルダ作成画面
図１８は、この発明の第３の実施形態による撮像装置２０１の画面表示装置１４に表示されるフォルダ作成画面２３１の一例を示す。フォルダ作成画面２３１とは、リムーバブルメモリ２２から過去に削除されたフォルダ名に基づき、フォルダを新規作成するための画面である。
【０１２６】
このフォルダ作成画面２３１は、親フォルダ名表示欄２３２と子フォルダ名表示欄２３３とを備える。親フォルダ名表示欄２３２には、ユーザがリムーバブルメモリ２２から過去に削除した親フォルダのフォルダ名が一覧表示される。子フォルダ名表示欄２３３には、親フォルダ名表示欄２３２に一覧表示されたフォルダ名のうち、選択されているフォルダ名の親フォルダ内から過去に削除された子フォルダのフォルダ名が表示される。
【０１２７】
親フォルダ名表示欄２３２または子フォルダ名表示欄２３３にて選択されているフォルダ名のフィールド２３２ａ，２３３ａは、他のフィールドと異なる色、色調または濃淡などが付されて表示される。例えば、選択されているフォルダ名のフィールドには濃い色が付されて表示され、選択されていないフォルダ名のフィールドには淡い色が付されて、フィールドが半透明状となるように表示される。また、選択させているフォルダ名が、例えば枠により囲まれるなどして強調表示されるようにしてもよい。
【０１２８】
また、場所名情報の数が画面表示装置１４に一度に表示可能な数を越えている場合には、フォルダ作成画面２３１の上部、下部にそれぞれ表示画面を上限にスクロール可能であることユーザに促す表示、例えば、▲（上向き三角）２３４ａ、▼（下向き三角）２３４ｂが表示される。この場合には、十字キー１３３の上下ボタンを適宜押すと、表示画面がスクロールされる。例えば、画面表示装置１４に表示されている場所名情報のうち、最上部または最下部の項目が強調表示されている状態において、十字キー１３３の上下ボタンを押すと、表示画面が上方または下方にスクロールされる。
【０１２９】
また、場所名情報の数が画面表示装置１４に一度に表示可能な数を越えている場合には、親フォルダ名表示欄２３２または子フォルダ名表示欄２３３の側方にスクロールバーが表示され、このスクロールバー内には棒状のスクロール・ボックスが表示されるようにしてもよい。
【０１３０】
ここで、図１８を参照しながら、削除フォルダ名格納テーブルに基づくフォルダの作成手順の一例について説明する。まず、メニューにおいてフォルダ作成モードを選択して、過去に削除したフォルダのフォルダ名に基づきフォルダを新規作成するためのフォルダ作成画面２３１を表示する。そして、十字キー１３３を適宜操作して、フォルダ作成画面２３１から作成を所望する子フォルダ名を選択・決定する。これにより、リムーバブルメモリ２２にて、選択・決定されたフォルダ名を有する子フォルダが、この子フォルダに関連する親フォルダ内に作成される。
【０１３１】
（３−９）第３の実施形態による撮像装置の動作
図１９は、この発明の第３の実施形態による撮像装置２０１のフォルダ作成・設定の動作を説明するためのフローチャートである。まず、ステップＳ２０１において、制御ブロック２１３が、撮像装置２０１をゲート２０３の通信部２０４に対してタッチすることにより通知された場所名情報であるか、あるいは、通信部２０６を備えたゲート２０５を通過することにより通知された場所名情報であるかを判断する。すなわち、通知された場所名情報が、第１の通信部２０４および第２の通信部のうちいずれから供給された場所名情報であるかを判断する。
【０１３２】
（ａ）タッチにより通知された場所名情報である場合
まず、通知された場所名情報が第１の通信部２０４から通知された場所名情報であると、ステップＳ２０１にて判断された場合の処理について説明する。まず、ステップＳ２０２において、制御ブロック２１３が、通知された場所名情報と同じフォルダ名の親フォルダがリムーバブルメモリ２２内にあるか否かを判断する。
【０１３３】
通知された場所名情報と同じフォルダ名の親フォルダがリムーバブルメモリ２２内にあるとステップＳ２０２にて判断された場合には、ステップＳ２０３において、制御ブロック２１３は、通知された場所名情報と同じフォルダ名の親フォルダを格納フォルダに設定する。その後、処理はステップ２１７に移行する。
【０１３４】
一方、通知された場所名情報と同じフォルダ名の親フォルダがリムーバブルメモリ２２内にないとステップＳ２０２にて判断された場合には、ステップＳ２０４において、制御ブロック２１３は、通知された場所名情報をフォルダ名として新規親フォルダをリムーバブルメモリ２２に作成する。
【０１３５】
次に、ステップＳ２０５において、制御ブロック２１３が、新規親フォルダと関連する子フォルダがリムーバブルメモリ２２内の仮フォルダに収容されているか否かを判断する。
【０１３６】
ステップＳ２０５にてリムーバブルメモリ２２内の仮フォルダに関連する子フォルダが収容されていると判断された場合には、ステップＳ２０６において、制御ブロック２１３は、仮フォルダ内に収納されている子フォルダを新規親フォルダに収容する。そして、ステップＳ２０７において、制御ブロック２１３は、新規親フォルダを格納フォルダに設定する。そして、処理はステップＳ２１７に移行する。
【０１３７】
一方、ステップＳ２０５にてリムーバブルメモリ２２内の仮フォルダに関連する子フォルダが収容されていないと判断された場合には、処理はステップＳ２１７に移行する。
【０１３８】
（ｂ）通過により通知された場所名情報である場合
次に、通知された場所名情報が第２の通信部２０６から通知された場所名情報であると、ステップＳ２０１にて判断された場合の処理について説明する。まず、ステップＳ２０８において、制御ブロック２１３が、通知された場所名情報と関連する親フォルダがリムーバブルメモリ２２内にあるか否かを判断する。
【０１３９】
通知された場所名情報と関連する親フォルダがあるとステップＳ２０８にて判断された場合には、ステップＳ２０９において、制御ブロック２１３が、通知された場所名情報と関連する親フォルダ内に、その場所名情報と同一のフォルダ名があるか否かを判断する。
【０１４０】
通知された場所名情報と関連する親フォルダ内に、その場所名情報と同一のフォルダ名があるとステップＳ２０９にて判別された場合には、ステップＳ２１０において、制御ブロック２１３が、通知された場所名情報と同一のフォルダ名を有する子フォルダを格納フォルダに設定する。その後、処理はステップＳ２１７に移行する。
【０１４１】
通知された場所名情報と関連する親フォルダ内に、その場所名情報と同一のフォルダ名がないとステップＳ２０８にて判別された場合には、ステップＳ２１１において、制御ブロック２１３が、通知された場所名情報と関連する親フォルダ内に、通知された場所名情報をフォルダ名として新規子フォルダを作成する。そして、ステップ２１２において、制御ブロック２１３が、ステップＳ２１１にて作成された新規子フォルダを格納フォルダに設定する。その後、処理はステップＳ２１７に移行する。
【０１４２】
一方、通知された場所名情報と関連する親フォルダがないとステップＳ２０８にて判断された場合には、ステップＳ２１３において、制御ブロック２１３が、通知された場所名情報と同一のフォルダ名がリムーバブルメモリ２２の仮フォルダ内にあるか否かを判断する。
【０１４３】
通知された場所名情報と同一のフォルダ名がリムーバブルメモリ２２の仮フォルダ内にあるとステップＳ２１３にて判断された場合には、ステップＳ２１４において、制御ブロック２１３は、通知された場所名情報と同一のフォルダ名を有する既存フォルダを格納フォルダに設定する。その後、処理はステップＳ２１７に移行する。
【０１４４】
一方、通知された場所名情報と同一のフォルダ名がリムーバブルメモリ２２の仮フォルダ内にないとステップＳ２１３にて判断された場合には、ステップＳ２１５において、制御ブロック２１３は、リムーバブルメモリ２２内の仮フォルダに、通知された場所名情報をフォルダ名として新規子フォルダを作成する。そして、ステップ２１６において、制御ブロック２１３が、ステップＳ２１５にて作成された新規子フォルダを格納フォルダに設定する。その後、処理はステップＳ２１７に移行する。
【０１４５】
ステップＳ２１７において、制御ブロック２１３が、撮影状態待ちとされ、撮影がなされると、処理はステップＳ２１８に移行する。そして、ステップＳ２１８において、制御ブロック２１３の制御に基づき、画像処理ブロック１２からリムーバブルメモリコントローラ１９を介してリムーバブルメモリ２２内の格納フォルダに撮影画像が格納される。更に撮影がなされた場合には処理はステップＳ２１８に戻り、そうでない場合には処理はステップＳ２０１に移行する。
【０１４６】
なお、仮フォルダとは、新規の子フォルダを作成したときに、その新規の子フォルダに対応する親フォルダがリムーバブルメモリ２２内にない場合に、新規の子フォルダを暫定的に収納しておくためのフォルダである。この仮フォルダは、例えば、リムーバブルメモリ２２を撮像装置２０１のスロット２０２に装填した場合に作成される。
【０１４７】
（３−１０）駅密集地域におけるフォルダ作成
次に、駅密集地域におけるフォルダ作成について説明する。駅密集地域では、例えば、密集する複数の駅を複数のグループに分け、同一のグループに属する駅に設けられたゲート２０３の通信部２０４に対して撮像装置２０１をタッチした場合には、同一の場所名情報を取得できるようにすることが考えられる。
【０１４８】
ここで、具体的な例として、駅Ａ、駅Ｂ、駅Ｃ、駅Ｄ、駅Ｅ、駅Ｆおよび駅Ｇが密集する駅密集地域について説明する。密集する各駅は、例えば、以下のように場所名Ａおよび場所名Ｂのいずれかにグルーピングされる。
場所名Ａ・・・駅Ａ、駅Ｂ、駅Ｃ、駅Ｄ
場所名Ｂ・・・駅Ｅ、駅Ｆ、駅Ｇ
【０１４９】
このようにグルーピングすることにより、駅Ａ、駅Ｂ、駅Ｃおよび駅Ｄに設けられたゲート２０３の通信部２０４に対して、撮像装置２０１をタッチすると、フォルダ名“場所名Ａ”の親フォルダが作成される。一方、駅Ｅ、駅Ｆおよび駅Ｇに設けられたゲート２０３の通信部２０４に対して、撮像装置２０１をタッチすると、フォルダ名“場所名Ｂ”の親フォルダが作成される。
【０１５０】
また、親フォルダの守備範囲を予め決めておくようにしてもよい。例えば、密集する各駅に設置されたゲート２０３にて作成される親フォルダと、各駅周辺に設けられたゲート２０５にて作成される子フォルダとを予め対応付けておくようにする。
【０１５１】
ここで、具体的な例として、駅Ａ、駅Ｂ、駅Ｃ、駅Ｄおよび駅Ｅが密集する駅密集地域について説明する。親フォルダ名（駅Ａ、駅Ｂ、駅Ｃ、駅Ｄ、駅Ｅ）と、子フォルダ名（百貨店Ａ、百貨店Ｂ、百貨店Ｃ、百貨店Ｄ、ビルＡ前、ビルＢ、ビルＣ、書店Ａ、劇場Ａ、ホテルＡ、ホテルＢ、ホテルＣ、ホテルＤ）とを以下のように予め対応付けておくようにする。
駅Ａ・・・百貨店Ａ、百貨店Ｃ、ビルＡ前、
駅Ｂ・・・百貨店Ｂ、百貨店Ｄ、書店Ａ
駅Ｃ・・・劇場Ａ、ビルＢ
駅Ｄ・・・ビルＣ、ホテルＡ、ホテルＣ
駅Ｅ・・・ホテルＢ、ホテルＤ
【０１５２】
上述のように対応付けておくことで、フォルダ名“駅Ａ”の親フォルダ内には、フォルダ名“百貨店Ａ”、“百貨店Ｃ”、“ビルＡ前”の子フォルダを作成可能となり、フォルダ名“駅Ｂ”の親フォルダ内には、フォルダ名“百貨店Ｂ”、“百貨店Ｄ”、“書店Ａ”の子フォルダを作成可能となり、フォルダ名“駅Ｃ”の親フォルダ内には、フォルダ名“ビルＣ”、“ホテルＡ”、“ホテルＣ”の子フォルダを作成可能となり、フォルダ名“駅Ｄ”の親フォルダ内には、 “ビルＣ”、“ホテルＡ”、“ホテルＣ”の子フォルダを作成可能となり、フォルダ名“駅Ｅ”の親フォルダ内には、フォルダ名“ホテルＢ”、“ホテルＤ”の子フォルダを作成可能となる。
【０１５３】
（３−１１）第３の実施形態による撮像装置のフォルダ作成・削除の手順
次に、図２０〜３７を参照しながら、撮像装置２０１のフォルダ作成・削除の手順などについて以下の順序で説明する。
（ａ）親フォルダ作成後に子フォルダ作成
（ｂ）子フォルダ作成後に親フォルダ作成
（ｃ）親フォルダ削除
（ｄ）子フォルダ削除
（ｅ）画像ファイル削除
（ｆ）フォルダ作成
以下では、（ａ）〜（ｆ）の手順を一連して行った場合について説明する。また、以下では、駅のゲートが、撮像装置２０１をタッチすることにより撮像装置２０１と通信可能となる通信部２０４を備えるゲート２０３であり、百貨店、ホテル、劇場などのゲートが、撮像装置２０１が近辺を通過することにより撮像装置２０１と通信可能となる通信部２０６を備えるゲート２０５である場合を例として説明する。なお、（ａ）〜（ｇ）の各手順における撮像装置２０１の処理は制御ブロック２１３により行われる。
【０１５４】
（ａ）親フォルダ作成後に子フォルダ作成
まず、図２０〜図２２を参照して、親フォルダを作成した後に、その親フォルダに関連する子フォルダを作成する手順の一例について説明する。なお、撮像装置２０１のスロット２０２に装填されたリムーバブルメモリ２２内には、フォルダ名“原宿”の親フォルダが作成され、この親フォルダ内には、フォルダ名“表参道”、“テレビ局Ａ”、“日比谷公園”の子フォルダが予め格納されている。
【０１５５】
フォルダ名“原宿”の親フォルダは、原宿駅の改札口に備えられたゲート２０３の通信部２０４に対して撮像装置２０１をタッチすることにより作成され、フォルダ名“表参道”、“テレビ局Ａ”、“日比谷公園”の子フォルダはそれぞれ、表参道、テレビ局Ａ、日比谷公園に備えられたゲート２０５を撮像装置２０１が通過することにより作成される。また、フォルダ名“表参道”の子フォルダ内には撮影画像が１枚格納され、フォルダ名“テレビ局Ａ”の子フォルダ内には撮影画像が３枚格納され、フォルダ名“日比谷公園”の子フォルダ内には撮影画像が１枚格納されている。
【０１５６】
まず、撮像装置２０１を携帯して電車で新宿駅に向かい、新宿駅の改札口に設けられたゲート２０３を通過するときにその通信部２０４に対して撮像装置２０１をタッチする。これにより、図２０に示すように、リムーバブルメモリ２２内にフォルダ名“新宿”の親フォルダが作成される。
【０１５７】
次に、百貨店Ａ新宿店に設けられたゲート２０５を通過して画像を１枚撮影した後、百貨店Ｂ新宿店および劇場Ａに設けられたゲート２０５を順次通過し、その後、東京都庁に設けられたゲート２０５を通過して画像を３枚撮影し、タクシーにより新宿から帰宅する。これにより、図２１に示すように、フォルダ名“新宿”の親フォルダ内に、フォルダ名“百貨店Ａ新宿店”、“百貨店Ｂ新宿店”、“劇場Ａ”、“東京都庁”の子フォルダが順次作成され、フォルダ名“百貨店Ａ新宿店”の子フォルダ内には撮影画像が１枚格納され、フォルダ名“東京都庁”の子フォルダ内には撮影画像が３枚格納される。
【０１５８】
そして、新宿にて画像を撮影してから所定期間後（例えば、新宿にて画像を撮影した翌日）、画像ファイルが格納されていないフォルダ、すなわち、フォルダ名“百貨店Ｂ新宿店”の子フォルダ、フォルダ名“劇場Ａ”の子フォルダが、図２２Ａに示すように、自動的にリムーバブルメモリ２２から削除される。そして、この削除された子フォルダのフォルダ名“百貨店Ａ新宿店”および“劇場Ａ”は、図２２Ｂに示すように、メモリ１７の削除フォルダ名格納テーブルに格納される。
【０１５９】
（ｂ）子フォルダ作成後に親フォルダ作成
次に、図２３〜図２６を参照して、子フォルダを先に作成した後、その子フォルダに関連する親フォルダを作成する手順の一例について説明する。まず、フォルダ名“原宿”および“新宿”のフォルダを作成してから３日後、品川駅に向かい、品川駅の改札口に設けられているゲート２０４の通信部２０３に対して撮像装置２０１をタッチすることなく、品川駅から外に出た。そして、品川にある宿泊先の品川ホテルＡのゲート２０５を通過して品川ホテルＡ内に入り、画像を１枚撮影する。そして、品川ホテルＡに宿泊後、品川ホテルＢに行き、そこに設けられているゲート２０５を通過した後、自動社メーカＡショールームを訪問して、そこに設けられているゲート２０５を通過して画像を２枚撮影する。その後、品川ビルＡに行き、そこに設けられているゲート２０５を通過して画像を２枚撮影する。
【０１６０】
これにより、図２３に示すように、フォルダ名“品川ホテルＡ”、“品川ホテルＢ”、“自動社メーカＡショールーム”および“品川ビルＡ”の子フォルダが仮フォルダ内に順次作成され、フォルダ名“品川ホテルＡ”の子フォルダ内には撮影画像が１枚格納され、フォルダ名“自動社メーカＡショールーム”の子フォルダ内には撮影画像が２枚格納され、フォルダ名“品川ビルＡ”の子フォルダ内には、撮影画像が２枚格納された。
【０１６１】
そして、品川駅内に入るときに、そこに設けられたゲート２０３の通信部２０４に対して撮像装置２０１をタッチした。これにより、図２４に示すように、フォルダ名“品川”の親フォルダが作成される。また、仮フォルダ内に格納されていたフォルダ名“品川ホテルＡ”、“品川ホテルＢ”、“自動車メーカＡショールーム”および“品川ビルＡ”の子フォルダが、フォルダ名“品川”の親フォルダ内に収納される。
【０１６２】
図２５は、図２４に示すツリー構造に対応するフォルダ名表示画面２２１の一例を示す。
親フォルダ名表示欄２２２には、リムーバブルメモリ２２に作成されている親フォルダのフォルダ名、すなわち、フォルダ名“原宿”、“新宿”および“品川”の親フォルダが一覧表示されている。子フォルダ名表示欄２２３には、親フォルダ名表示欄２２２にて選択されているフォルダ名の親フォルダに格納されている子フォルダのフォルダ名、すなわち、フォルダ名“品川ホテルＡ”、“品川ホテルＢ”、“自動車メーカＡショールーム”、“品川ビルＡ”が一覧表示されている。
【０１６３】
また、フォルダ名“品川”の親フォルダを作成したときに、図２６Ａに示すように、撮影画像が格納されていないフォルダ、すなわち、フォルダ名“品川ホテルＢ”の子フォルダは自動的に削除されるようにしてもよい。この場合、図２６Ｂに示すように、この削除された子フォルダのフォルダ名“品川ホテルＢ”と、この削除された子フォルダに関連する親フォルダのフォルダ名“品川”とが、メモリ１７の削除フォルダ名格納テーブルに関連付けられて格納される。
【０１６４】
（ｃ）親フォルダ削除
次に、図２７〜図２８を参照して、親フォルダ削除の手順の一例について説明する。まず、フォルダ名“品川”の親フォルダに格納された撮影画像を撮像装置２０１からパーソナルコンピュータに移動する。次に、フォルダ名表示画面２２１を表示し、十字キー１３３を適宜選択して、図２７に示すように、フォルダ名表示画面２２１の親フォルダ名表示欄２２２から削除を所望するフォルダ名“品川”を選択し、削除ボタン１３２を押す。これにより、図２８Ａに示すように、フォルダ名“品川”の親フォルダと、この親フォルダに格納された子フォルダと、この子フォルダに格納されていた撮影画像とが全て削除される。また、削除された親フォルダのフォルダ名“品川”と、削除された子フォルダのフォルダ名“品川ホテルＡ”、“自動車メーカＡショールーム”、“品川ビルＡ”とは、図２８Ｂに示すように、メモリ１７の削除フォルダ名格納テーブルに関連づけられて格納される。
【０１６５】
また、この削除に伴って、フォルダ名“品川”と、この親フォルダに収納されていた子フォルダのフォルダ名“品川ホテルＡ”、“自動車メーカＡショールーム”、“品川ビルＡ”とがフォルダ名表示画面２２１から削除される。
【０１６６】
（ｄ）子フォルダ削除
次に、図２９〜図３１を参照して、子フォルダ削除の手順の一例について説明する。まず、十字キー１３３を適宜操作して、図２９に示すように、フォルダ名表示画面２２１の子フォルダ名表示欄内２２３にて、削除を所望するフォルダのフォルダ名“日比谷公園”を選択した後、削除ボタン１３２を押す。これにより、図３０に示すように、フォルダ名“日比谷公園”の子フォルダと、この子フォルダに格納されていた撮影画像とが削除され、この削除された子フォルダのフォルダ名“日比谷公園”が、メモリ１７の名前テーブルに格納される。また、この削除に伴って、図３１に示すように、子フォルダ名表示欄内２２３からフォルダ名“日比谷公園”が削除される。
【０１６７】
（ｅ）画像ファイル削除
次に、図３２〜図３４を参照して、画像ファイル削除の手順の一例について説明する。次に、十字キー１３３を適宜操作して、図３２に示すように、フォルダ名表示画面２２１の子フォルダ名表示欄内２２３にてフォルダ名“表参道”を選択し、再生ボタン１３６を押す。これにより、フォルダ名“表参道”の子フォルダに格納されていた撮影画像（図３３参照）が、画像表示装置１４に表示される。そして、この撮影画像が表示されている状態において削除キー１３２を押すと、表示装置１４に表示されている撮影画像が削除される。これにより、フォルダ名“表参道”が表示されたフィールドの色、色調または濃淡が変化する。すなわち、フォルダ名“表参道”の子フォルダが空フォルダであることを直感的に理解することができる。
【０１６８】
そして、フォルダ名“表参道”に格納されていた画像ファイルを削除してから所定期間期間後（例えば１日後）、図３４Ａに示すように、撮影画像が格納されていないフォルダ名“表参道”の子フォルダが自動的に削除され、図３４Ｂに示すように、この削除された子フォルダのフォルダ名“表参道”と、この削除された子フォルダに関連する親フォルダのフォルダ名“原宿”とが、メモリ１７の名前テーブルに関連づけられて格納される。なお、親フォルダはユーザの明確な意識の下に作成されるフォルダ、すなわち、撮像装置２０１をユーザが意識的に通信部２０４に対してタッチすることにより作成されるフォルダであるので、親フォルダが空フォルダであっても、親フォルダは自動的には削除されないようなっている。
【０１６９】
（ｆ）フォルダ作成
次に、図３５〜図３７を参照して、削除フォルダ名格納テーブルに基づくフォルダ作成の手順の一例について説明する。まず、地下鉄で都庁前駅に向かい、都庁前駅の改札口に設けられているゲート２０３の通信部２０４に対して撮像装置２０１をタッチして、都庁前駅から出た後、徒歩で劇場Ａに向かう。
【０１７０】
劇場Ａに到着する前に撮像した画像を、フォルダ名“劇場Ａ”の子フォルダに格納するために、劇場Ａに向かう途中で以下の操作を行う。すなわち、メニューよりフォルダ作成モードを選択・決定して、例えば図３５に示す削除フォルダ名格納テーブルに基づくフォルダ作成画面を表示し、その中から所望するフォルダ名“劇場Ａ”を選択・決定する。これにより、図３６に示すように、子フォルダ名表示欄２２３にフォルダ名”劇場Ａ“が付け加わる。
【０１７１】
そして、十字キー１３３を適宜操作して、フォルダ削除設定画面２２１の子フォルダ名表示欄内２２３にてフォルダ名“劇場Ａ”を選択・決定した後、画像を３枚撮影する。これにより、フォルダ名“劇場Ａ”の子フォルダが格納フォルダに設定され、図３７に示すように、撮影画像が、フォルダ名“劇場Ａ”の子フォルダに格納される。
【０１７２】
（３−１２）第３の実施形態の変形例
上述の第３の実施形態では、場所名情報がゲート２０３またはゲート２０５を設けた場所またはその周辺をユーザが直感的に理解可能しやすい名称からなり、その名称がフォルダ名となる場合を説明したが、場所名情報はこのような名称に限られるものではなく、場所名情報は、アトラクションや駅に設けられたゲート２に固有なＩＤ情報であってもよい。この場合、例えば、ＩＤ情報と、そのＩＤ情報を有するゲート２０３またはゲート２０５が設けられた場所またはその周辺をユーザが直感的に理解可能しやすい名称とが関連付けられたテーブルを、撮像装置２０１内のメモリ１７に記憶しておくようにする。そして、ゲート２０３の制御ブロックまたはゲート２０５の制御ブロックから撮像装置２０１の制御ブロック２１３にＩＤ情報が通知されたときには、制御ブロック２１３が、このＩＤ情報に基づき、メモリ１７に記憶されたテーブルを検索してＩＤ情報に対応する名称を抽出して、この名称をフォルダ名として新規フォルダを作成し、格納フォルダに設定する。なお、このテーブルは、外部Ｉ／Ｆ２３を介して外部から取得するようにしてもよい。
【０１７３】
また、駅密集地域などにおいて、子フォルダが２以上の親フォルダに対応付けられている場合には、子フォルダを複数作成せずに、先に作成されている子フォルダ内に画像データを格納するようにしてもよい。
【０１７４】
以下に、この場合の具体例について説明する。ここでは、（ｅ）画像ファイル削除の処理後に、フォルダ作成を行った場合を例として示す。まず、都庁前駅の改札口に設けられているゲート２０３の通信部２０４に対して撮像装置２０１をタッチして、フォルダ名“都庁前”の親フォルダを作成する。
【０１７５】
そして、都庁前駅から出た後、都庁に設けられたゲート２０５を通過して、都庁内にて画像を２枚撮影する。これにより、図３８に示すように、フォルダ名“新宿”の親フォルダ内にすでに作成されているフォルダ名“都庁”の子フォルダが、格納フォルダに設定され、この子フォルダ内に撮影画像が２枚格納される。すなわち、フォルダ名“新宿“の親フォルダ内にフォルダ名“都庁”の子フォルダが一度作成されたら、この子フォルダが削除されない限りは、この子フォルダ内に都庁にて撮影した画像は格納される。したがって、都庁前駅にてフォルダ名“都庁前”の親フォルダを作成しても、フォルダ名“新宿”の親フォルダ内にフォルダ名“都庁”の子フォルダがある限りは、フォルダ名“都庁前”の親フォルダ内にはフォルダ名“都庁”の子フォルダは作成されないようになっている。
【０１７６】
また、上述の第３の実施形態において、フォルダ作成画面２３１にて、子フォルダを作成せずに親フォルダ作成のみを選択できるようにしてもよい。親フォルダのみを作成し、格納フォルダに設定した場合には、この親フォルダ内に撮影画像を直接格納することができる。
【０１７７】
図３９は、親フォルダ作成のみを選択できるフォルダ作成画面２３１の一例を示す。子フォルダ名表示覧２３３には、親フォルダのみの作成を選択するための“子フォルダなし”が表示される。この“子フォルダなし”を選択・決定することで、フォルダ名“新宿”の親フォルダのみがリムーバブルメモリ２２に作成される。
【０１７８】
以上、この発明の第１〜第３の実施形態について具体的に説明したが、この発明は、上述の第１〜第３の実施形態に限定されるものではなく、この発明の技術的思想に基づく各種の変形が可能である。
【０１７９】
例えば、上述の第１〜第３の実施形態において挙げた数値はあくまでも例に過ぎず、必要に応じてこれと異なる数値を用いてもよい。
【０１８０】
なお、上述の第１〜第３の実施形態では、メモリ１７が撮像装置内に備えられている場合を例として示したが、メモリ１７を撮像装置に対して着脱可能なメモリとしてもよい。この場合、各地域（例えば、各県、各地方）または各国毎のフォルダ作成テーブルをそれぞれ異なるメモリに記憶しておき、これらのメモリのうちから、撮影先に応じたメモリを選択して撮像装置に装填することができる。
【図面の簡単な説明】
【０１８１】
【図１】この発明の第１の実施形態によるシステムの概要を説明するための概略図である。
【図２】この発明の第１の実施形態による撮像装置の一構成例を示すブロック図である。
【図３】この発明の第１の実施形態による通信部の一構成例を示すブロック図である。
【図４】この発明の第１の実施形態による撮像装置と通信部とのやり取りの一例を説明するための概略図である。
【図５】この発明の第１の実施形態による撮像装置のフォルダ作成・設定動作を説明するためのフローチャートである。
【図６】この発明の第２の実施形態によるシステムの概要を説明するための概略図である。
【図７】この発明の第２の実施形態による撮像装置の一構成例を示すブロック図である。
【図８】この発明の第２の実施形態によるゲートの一構成例を示すブロック図である。
【図９】この発明の第２の実施形態による撮像装置の背面部の一例を示す。
【図１０】この発明の第２の実施形態による撮像装置の画面表示装置に表示されるフォルダ名設定画面の一例を示す。
【図１１】この発明の第２の実施形態による撮像装置の場所名情報の格納動作を説明するためのフローチャートである。
【図１２】この発明の第２の実施形態による撮像装置のフォルダの作成・設定動作を説明するためのフローチャートである。
【図１３】この発明の第３の実施形態によるシステムの概要を説明するための概略図である。
【図１４】この発明の第３の実施形態による撮像装置の一構成例を示すブロック図である。
【図１５】この発明の第３の実施形態による撮像装置の画面表示装置に表示されるフォルダ名表示画面の一例を示す略線図である。
【図１６】この発明の第３の実施形態による撮像装置のメモリに記憶されたフォルダ作成テーブルの一例を示す略線図である。
【図１７】この発明の第３の実施形態による撮像装置の削除フォルダ名格納テーブルの一例を示す略線図である。
【図１８】この発明の第３の実施形態による撮像装置の画面表示装置に表示されるフォルダ作成画面の一例を示す略線図である。
【図１９】この発明の第３の実施形態による撮像装置のフォルダ作成・設定の動作を説明するためのフローチャートである。
【図２０】親フォルダを作成した後に、その親フォルダに関連する子フォルダを作成する手順の一例について説明するための略線図である。
【図２１】親フォルダを作成した後に、その親フォルダに関連する子フォルダを作成する手順の一例について説明するための略線図である。
【図２２】親フォルダを作成した後に、その親フォルダに関連する子フォルダを作成する手順の一例について説明するための略線図である。
【図２３】子フォルダを先に作成した後、その子フォルダに関連する親フォルダを作成する手順の一例について説明するための略線図である。
【図２４】子フォルダを先に作成した後、その子フォルダに関連する親フォルダを作成する手順の一例について説明するための略線図である。
【図２５】子フォルダを先に作成した後、その子フォルダに関連する親フォルダを作成する手順の一例について説明するための略線図である。
【図２６】子フォルダを先に作成した後、その子フォルダに関連する親フォルダを作成する手順の一例について説明するための略線図である。
【図２７】親フォルダ削除の手順の一例について説明するための略線図である。
【図２８】親フォルダ削除の手順の一例について説明するための略線図である。
【図２９】子フォルダ削除の手順の一例について説明するための略線図である。
【図３０】子フォルダ削除の手順の一例について説明するための略線図である。
【図３１】子フォルダ削除の手順の一例について説明するための略線図である。
【図３２】画像ファイル削除の手順の一例について説明するための略線図である。
【図３３】画像ファイル削除の手順の一例について説明するための略線図である。
【図３４】画像ファイル削除の手順の一例について説明するための略線図である。
【図３５】削除フォルダ名格納テーブルに基づくフォルダ作成の手順の一例について説明するための略線図である。
【図３６】削除フォルダ名格納テーブルに基づくフォルダ作成の手順の一例について説明するための略線図である。
【図３７】削除フォルダ名格納テーブルに基づくフォルダ作成の手順の一例について説明するための略線図である。
【図３８】この発明の第３の実施形態の変形例について説明するための略線図である。
【図３９】この発明の第３の実施形態の変形例について説明するための略線図である。
【符号の説明】
【０１８２】
１      撮像装置
２      ゲート
３      通信部
１１    カメラブロック
１２    画像処理ブロック
１３    メモリ
１４    画像表示装置
１５    操作ブロック
１６    制御ブロック
１７    メモリ
１８    近距離無線用アンテナ
１９    リムーバブルメモリコントローラ
２０    電源供給部
２１    バス
２２    リムーバブルメモリ
２３    外部Ｉ／Ｆ
３１    制御ブロック
３２    メモリ
３３    近距離無線用アンテナ
【図１】
2006115017.tif 000003
【図２】
2006115017.tif 000004
【図３】
2006115017.tif 000005
【図４】
2006115017.tif 000006
【図５】
2006115017.tif 000007
【図６】
2006115017.tif 000008
【図７】
2006115017.tif 000009
【図８】
2006115017.tif 000010
【図９】
2006115017.tif 000011
【図１０】
2006115017.tif 000012
【図１１】
2006115017.tif 000013
【図１２】
2006115017.tif 000014
【図１３】
2006115017.tif 000015
【図１４】
2006115017.tif 000016
【図１５】
2006115017.tif 000017
【図１６】
2006115017.tif 000018
【図１７】
2006115017.tif 000019
【図１８】
2006115017.tif 000020
【図１９】
2006115017.tif 000021
【図２０】
2006115017.tif 000022
【図２１】
2006115017.tif 000023
【図２２】
2006115017.tif 000024
【図２３】
2006115017.tif 000025
【図２４】
2006115017.tif 000026
【図２５】
2006115017.tif 000027
【図２６】
2006115017.tif 000028
【図２７】
2006115017.tif 000029
【図２８】
2006115017.tif 000030
【図２９】
2006115017.tif 000031
【図３０】
2006115017.tif 000032
【図３１】
2006115017.tif 000033
【図３２】
2006115017.tif 000034
【図３３】
2006115017.tif 000035
【図３４】
2006115017.tif 000036
【図３５】
2006115017.tif 000037
【図３６】
2006115017.tif 000038
【図３７】
2006115017.tif 000039
【図３８】
2006115017.tif 000040
【図３９】
2006115017.tif 000041